(57)【特許請求の範囲】
【請求項１】
基体の頂部を覆うように形成され且つ該基体の側面部分を覆う両側部の内側にそれぞれ係合面が設けられた笠木を、該基体に取付ける際に使用される笠木取付具であって、
弾性を有する材料により形成され、且つ上記基体の頂面に固定される天板部と、該天板部の両側端からそれぞれ下方外向きに延びる脚部と、該脚部の下端をなし上記笠木の側部内側の係合面に係合して該笠木の上方への移動を規制する係合部と、を備え、
上記両脚部の少なくとも一方には、その内側に下方から差し入れられる笠木取外し作業用の棒材の先端部を係止する棒材係止部が内向きに突出して設けられており、
上記棒材係止部は、金属板で形成された上記脚部から切り出されると共に棒材の先端部が嵌合する係止孔が設けられた舌片で構成されていることを特徴とする笠木取付具。
【請求項２】
上記天板部は、上記笠木の内側に設けられた幅方向に対峙する一対の押圧面のそれぞれに当接して該押圧面を外向きに押圧する幅方向位置規制部を備えることを特徴とする請求項１に記載の笠木取付具。
【請求項３】
少なくとも上記棒状係止部が設けられる脚部と同じ側に位置する幅方向位置規制部は、その上端部が上方内側に湾曲又は傾斜する面に形成されていることを特徴とする請求項２に記載の笠木取付具。
【請求項４】
上記側部内側の係合面が下方内向きに傾斜したテーパ状に形成された笠木を基体に取付ける際に使用される笠木取付具であって、
上記天板部と上記脚部とが成す角度及び該脚部の長さが、上記笠木で上記基体の頂部を覆うとき、該脚部が該笠木に押圧されて該基体側に弾性的に移動した後、該脚部が弾性復帰する際に、上記係合部が該笠木の係合面に係合当接して該係合面を下方外向きに押圧するように設定されていることを特徴とする請求項１乃至３のいずれか一に記載の笠木取付具。
【請求項５】
上記係合部は、摩擦係数を高める加工が施されていることを特徴とする請求項４に記載の笠木取付具。
【請求項６】
基体の頂部を覆うように形成され且つ該基体の側面部分を覆う両側部の内側にそれぞれ係合面が設けられた笠木を、該基体に取付ける際に使用される笠木取付具であって、
各々、弾性を有する材料により形成され、且つ天板部と、該天板部の一方の側端から下方外向きに延びる脚部と、該脚部の下端をなす係合部とを備えており、上記両脚部がそれぞれ反対向きに位置するように上記両天板部が上記基体の頂面に固定され、上記両係合部がそれぞれ上記笠木の対応する側部内側の係合面に係合して該笠木の上方への移動を規制するように構成された第１及び第２取付部材からなり、
上記第１及び第２取付部材の両脚部の少なくとも一方には、その内側に下方から差し入れられる笠木取外し作業用の棒材の先端部を係止する棒材係止部が内向きに突出して設けられており、
上記棒材係止部は、金属板で形成された上記脚部から切り出されると共に棒材の先端部が嵌合する係止孔が設けられた舌片で構成されていることを特徴とする笠木取付具。
【請求項７】
基体の頂部を覆うように形成され且つ該基体の側面部分を覆う両側部の内側にそれぞれ係合面が設けられた笠木を、請求項１乃至６のいずれか一に記載の笠木取付具を介して基体に取付けたことを特徴とする笠木取付構造。
【発明の詳細な説明】
【０００１】
【発明の属する技術分野】
本発明は、基体に笠木を取付ける際に使用される笠木取付具及びその笠木取付具を使用した笠木取付構造に関する。
【０００２】
【従来の技術】
屋上の周縁に立設された壁、バルコニーの手摺り壁、階段の手摺り等には、それを基体としてその頂部を覆うように笠木が取付けられている。かかる笠木は、図１３に示すように、基体３９に装着固定された笠木取付具ａを介して取付けられるものである。そして、笠木取付具ａは、金属製の平板をプレス加工により断面略台形に成形されたものであり、基体３９の頂面に装着固定されると共に笠木３７の底面を支える天板部３１と、その天板部３１の両側端からそれぞれ下方外向きに延びる脚部３２，３２と、各脚部３２の下端をなし笠木３７の側部３７ｂの内側に設けられた係合面３８に係合して笠木３７の上方への移動を規制する係合部３３とを有している。
【０００３】
ところで、笠木の補修、取替えまたは位置調整等の理由により笠木を基体から取外したい場合がある。その場合、いずれか一方の係合部の係合面への係合を解除する必要があるが、取付けられた笠木を下から見た場合、通常、係合部は係合面に隠れて見えず、笠木取付具から笠木を取外すことは極めて困難である。
【０００４】
そこで、かかる問題を解決する笠木取付具として、特開平８−２６０６４３号公報には、笠木取付具の脚部の両側縁を内側に屈曲させた屈曲部を設けたものが開示されており、かかる構成によれば、屈曲部と笠木との間に形成される隙間にドライバー等の棒状器具をこじ入れることにより脚部先端の笠木の側面内側下部に設けられた係合突起部への係合が容易に外れ、笠木を笠木取付具から容易に取外すことができる、との内容が記載されている。
【０００５】
また、特開２０００−８７５２３号公報には、下地材上に固定される当接部から、この下地材上に被せられる笠木に係合する係合部が延設されてなる笠木取付具であって、係合部による係合の離脱を容易にする舌部が係合部から延設されているものが開示されており、かかる構成によれば、ドライバーや指で舌部に外力を及ぼすことにより係合部の笠木への係合を容易に解除することができる、との内容が記載されている。
【０００６】
【発明が解決しようとする課題】
しかしながら、特開平８−２６０６４３号公報及び特開２０００−８７５２３号公報に開示されているいずれの笠木取付具も、笠木の側部内側と笠木取付具との間の狭い隙間にドライバーや指を入れて笠木の取外しを行わなければならず、笠木の取外し作業の作業性が悪い。
【０００７】
また、ドライバー等の棒状器具を笠木の側部内側と笠木取付具との間の狭い隙間に無理矢理挿入して笠木を取外そうとすると棒状器具の先端部で笠木を破損する虞がある。
【０００８】
本発明は、かかる点に鑑みてなされたものであり、その目的とするところは、棒材（棒状器具）を用いて極めて簡単に笠木の取外しができる笠木取付具及びその笠木取付具を使用した笠木取付構造を提供することにある。
【０００９】
【課題を解決するための手段】
本発明は、笠木取付具の脚部内側に、笠木取外し時に下方から差し入れられる棒材の先端部を係止する棒材係止部を内向きに突出させて設けるようにしたものである。
【００１０】
具体的には、本発明は、
基体の頂部を覆うように形成され且つ該基体の側面部分を覆う両側部の内側にそれぞれ係合面が設けられた笠木を、該基体に取付ける際に使用される笠木取付具であって、
弾性を有する材料により形成され、且つ上記基体の頂面に固定される天板部と、該天板部の両側端からそれぞれ下方外向きに延びる脚部と、該脚部の下端をなし上記笠木の側部内側の係合面に係合して該笠木の上方への移動を規制する係合部と、を備え、
上記両脚部の少なくとも一方には、その内側に下方から差し入れられる笠木取外し作業用の棒材の先端部を係止する棒材係止部が内向きに突出して設けられており、
上記棒材係止部は、金属板で形成された上記脚部から切り出されると共に棒材の先端部が嵌合する係止孔が設けられた舌片で構成されていることを特徴とする。
【００１１】
上記の構成によれば、ドライバー等の棒材を脚部の下方から差し入れてその先端部を棒状係止部で係止した後、棒材の露出部分に外向きに外力を与えて上方外方に移動させると、笠木の開口端近傍が支点となって、てこの原理により棒材の先端部が脚部と共に内方に移動して係合部の係合面への係合が解除され、さらに、棒材の露出部分を上方外方に移動させると棒材によって支点となった笠木の開口端近傍が持ち上げられて笠木が基体から外れることとなるので、笠木の取外し作業を片手でも簡単に行うことができ、しかも、棒材係止部が脚部の内側に設けられており、基体と脚部との間に棒材を差し入れればよく、従来のように棒材を狭い隙間に差し入れる必要がないので、笠木の取外し作業の作業性が良好なものとなり、また、棒材の先端部で笠木を破損する虞もない。
【００１２】
もちろん、上記の方法だけでなく、棒材の先端部を棒材係止部で係止した後、脚部が内方に移動するように棒材全体を一旦内方に移動させて係合部の係合面への係合を解除し、次いで、係止された棒材の先端部を中心として棒材の他端を上方外方に移動させて棒材で笠木を持ち上げるようにしてもよい。また、棒材の先端部を棒材係止部で係止した後、脚部が内方に移動するように棒材全体を一旦内方に移動させて係合部の係合面への係合を解除し、笠木を手で外すようにしてもよい。
【００１３】
また、上記の構成によれば、脚部から係止孔が設けられた舌片を切り出すことによって容易に棒材係止部を形成させることができ、また、笠木取付具としての構成も簡易となる。
【００１４】
天板部は、笠木の内側に設けられた幅方向に対峙する一対の押圧面のそれぞれに当接して、その押圧面を外向きに押圧する幅方向位置規制部を備える構成であってもよい。かかる構成によれば、笠木の取付け時には、幅方向位置規制部が笠木の内側の押圧面を押圧してその幅方向の位置規制がなされ、笠木の取付精度の向上が図られることとなる。また、笠木を取付け後には、笠木に外力が作用しても幅方向位置規制部がそれに対抗する機能を発揮し、笠木取付構造の安定化が図られることとなる。この場合、少なくとも棒状係止部が設けられる脚部と同じ側に位置する幅方向位置規制部は、その上端部が上方内側に湾曲又は傾斜する面に形成されていることが好ましい。かかる構成によれば、笠木の取付け時には、笠木の押圧面がその面に案内されて幅方向位置規制部との当接が達成される一方、笠木の取外し時には、笠木の押圧面がその面に案内されて幅方向位置規制部との当接が解除されることとなり、笠木着脱時における幅方向位置規制部の機能発現又は機能解除がスムーズに行われることとなる。
【００１５】
さらに、側部内側の係合面が下方内向きに傾斜したテーパ状に形成された笠木を基体に取付ける際に使用される笠木取付具の場合、天板部と脚部とが成す角度及び脚部の長さが、笠木で基体の頂部を覆うとき、脚部が笠木に押圧されて基体側に弾性的に移動した後、脚部が弾性復帰する際に、係合部が笠木の係合面に係合当接して係合面を下方外向きに押圧するように設定されている構成としてもよい。かかる構成によれば、笠木の側部内側に設けられた下方内向きに傾斜したテーパ状の係合面に笠木取付具の脚部先端の係合部が係合当接し、その係合面を下方外向きに押圧することとなるので、この下方に作用する力により笠木の上下のがたつきが防止されることとなる。加えて、外向きに作用する力によって幅方向のがたつきもが防止されることとなる。また、脚部が弾性変形可能に形成され且つ係合面がテーパ状に形成されているので、脚部の長さに設計に対する若干の寸法誤差が生じた場合でも、係合部がテーパ状の係合面のいずれかの位置に係合当接し、その寸法誤差を吸収することとなる。このとき、係合部は、のこぎり歯形状に形成する等の摩擦係数を高める加工が施されているものであってもよい。このようにすれば、係合部と係合面との係合を確実なものとすることができる。また、同様の目的で、笠木の側部内側の係合面は、粗面に形成する等の摩擦係数を高める加工が施されているものであってもよい。
【００１６】
また、笠木取付具としては、一体型のもの限定されず、各々、弾性を有する材料により形成され、且つ天板部と、その天板部の一方の側端から下方外向きに延びる脚部と、その脚部の下端をなす係合部とを備えており、両脚部がそれぞれ反対向きに位置するように両天板部が基体の頂面に固定され且つ両係合部がそれぞれ笠木の対応する側部内側の係合面に係合することにより笠木の上方への移動を規制するように構成された第１及び第２取付部材からなるものであってもよく、この場合、第１及び第２取付部材の両脚部の少なくとも一方に、その内側に下方から進入する笠木取外し作業用の棒材の先端部を係止する棒材係止部を内向きに突出して設け、棒材係止部を、金属板で形成された脚部から切り出されると共に棒材の先端部が嵌合する係止孔が設けられた舌片で構成すればよい。かかる構成によれば、第１及び第２取付部材の両天板部を、それぞれの脚部対向端同士を対峙若しくは突き合わせるように又はそれぞれの脚部側から見て同一側の側端同士を対峙若しくは当接させるように基体頂面に固定することが可能であるので、基体の幅に応じて笠木取付具を準備する必要がなく、第１及び第２取付部材からなる単一種の笠木取付具によって幅の異なる基体に対応して笠木を取付けることができることとなる。また、同様に、両脚部間の間隔を自在に設定することが可能であるので、笠木の幅に応じて笠木取付具を準備する必要がなく、単一種の笠木取付具によって幅の異なる笠木に対応してそれを基体に取付けることができることとなる。
【００１７】
そして、以上のような笠木取付具によって基体に笠木が取付けられた笠木取付構造は、笠木の取外しが極めて簡単なものとなる。
【００１８】
【発明の効果】
以上説明したように、本発明によれば、ドライバー等の棒材を脚部の下方から差し入れてその先端部を棒状係止部で係止した後、棒材の露出部分に外向きに外力を与えて上方外方に移動させることにより笠木が基体から外れることとなるので、笠木の取外し作業を片手でも簡単に行うことができ、しかも、棒材係止部が脚部の内側に設けられており、基体と脚部との間に棒材を差し入れればよく、従来のように棒材を狭い隙間に差し入れる必要がないので、笠木の取外し作業の作業性が良好なものとなり、また、棒材の先端部で笠木を破損する虞もない。
【００１９】
【発明の実施の形態】
以下に本発明の実施形態について図面に基づいて説明する。
【００２０】
（実施形態１）
＜笠木取付具の構成＞
図１〜４は、本発明の実施形態１に係る笠木取付具Ａを示す。笠木取付具Ａは、金属製（バネ鋼ＳＵＰ３、ステンレス等）の厚さ０．３〜０．５ｍｍの平板をプレス加工により断面略台形状に成形したものであり、長方形状の天板部１と、天板部１の両短辺側端１ａ，１ａに続いて下方外向きに延びる脚部２，２と、両脚部２，２の下端をなす係合部３，３とを備えている。
【００２１】
天板部１は、基体に装着固定されると共に笠木の底面を直接または板状体を介して支える役割を果たす。
【００２２】
天板部１の各長辺側端１ｂの中央近傍には、一対の固定具挿通孔５，５が設けられており、この合計４つの固定具挿通孔５，５，…に釘、ボルト等が挿通されて基体の頂面に装着固定される。
【００２３】
また、天板部１の両長辺側端１ｂ，１ｂ中央には、Ｖ字状の欠損が設けられていると共に、天板部１中央には、菱形の欠損が設けられており、これらが幅位置決め標６，６，６を構成し、この幅位置決め標６，６，６を基体の頂面上に記した直線等に合わせることにより笠木取付具Ａの幅方向の位置決めが図られる。
【００２４】
さらに、天板部１の両脚部２，２との境界近傍には、幅方向に対向する一対の舌片状の幅方向位置規制部１６，１６が天板部１から切り出されて立設されており、これらが笠木の内側に設けられた幅方向に対峙した一対の押圧面をそれぞれ外向きに押圧する。この幅方向位置規制部１６は、天板部１から上方内側に緩やかに立ち上がる基端部１６ａと、基端部１６ａに続いて上方外側に突出した当接部１６ｂと、当接部１６ｂに続いて上方内側に緩やかに湾曲した案内部１６ｃとからなり、当接部１６ｂが笠木を取付けた状態でその内側の押圧面を当接押圧し、案内部１６ｃが笠木の着脱時に押圧面を案内する。
【００２５】
各脚部２は、係合部３が笠木の側部内側の係合面に係合するように係合部３に弾性力を付与する役割を果たす。
【００２６】
各脚部２の中央部には、脚部２の下部側を基端としてコの字状に切り出された略矩形舌片状の棒材係止部２０が脚部２の内側に突出するように脚部２に対して直角に屈曲されて設けられていると共に、その棒状係止部２０の中央には、その長辺と平行に延びる係止孔２０ａが設けられ、笠木取外し時に脚部２の下方からドライバー等の笠木取外し作業用の棒材を差し入れた際にその先端部が係止孔２０ａに嵌まって棒材が係止される。
【００２７】
また、各脚部２の外側面の棒状係止部２０ａの下方には、棒状係止部２０と平行に延びるリブ２１が設けられており、これによって脚部２の補強が図られる。
【００２８】
各係合部３は、笠木の内側に設けられた係合面に係合して笠木の上方への移動を規制する役割を果たす。
【００２９】
この笠木取付具Ａによって基体９に取付けられる笠木７は、図５に示すように、笠木７の側部７ｂ内側の係合面８が下方内向きに傾斜したテーパ状に形成されている。
【００３０】
そして、笠木取付具Ａの脚部２と天板部１とが成す角度及び脚部２の長さは、笠木７で基体９の頂部を覆うとき、脚部２が笠木７に押圧されて基体７側に弾性的に変位した後、脚部２が弾性復帰する際に、係合部３が係合面８に係合当接して係合面８を下方外向きに押圧するように設定されている。すなわち、笠木取付具Ａに笠木７を取付けた状態において、脚部２と天板部１とが成す角度は、脚部２と天板部１との境界部（Ｘ）と係合面８の下端（Ｙ）とを結ぶ線が天板部１となす角度（α）より大きく設定されており、これによって笠木７を取付ける際の脚部２の基体９側への弾性的な変位が可能となる。また、脚部２の長さは、係合面８の上端（Ｚ）からＸまでの距離より長く且つＸからＹまでの距離より短く設定されており、これによって係合部３の係合面８への係合が可能となる。
【００３１】
＜笠木の取付方法＞
笠木取付具Ａを使用した笠木７の基体９への取付方法について図６に基づいて説明する。
【００３２】
まず、笠木取付具Ａの基体９への装着に先立って、基体９の頂面の幅方向中央位置に、笠木取付具Ａの幅方向の装着位置調整を図るための直線状のマーク１１を墨で記す。
【００３３】
次いで、笠木取付具Ａの天板部１に設けられた幅位置決め標６，６，６を基体９の頂面に記されたマーク１１に合わせ、ねじ釘１３，１３，…を固定具挿通孔５，５，…に挿通して基体９の頂面に僅かに打ち付けて仮止めする。
【００３４】
続いて、笠木取付具Ａの上下方向の位置調整を行う。このとき、必要に応じて基体９の頂面と天板部１との間に高さ調整シート１２を挟む。
【００３５】
そして、ねじ釘１３，１３，…を完全に締め込み天板部１を基体９に装着固定する。
【００３６】
最後に、笠木７を基体９の頂面を覆うようにして上から被せ、係合部３，３を係合面８，８に係合させることにより、笠木７の基体９への取付が完了する。このとき、笠木７の各押圧面７ａ下端がそれぞれ対応する幅方向位置規制部１６の案内部１６ｃを摺動するようにして、最終的に押圧面７ａが当接部１６ｂに当接するようにする。
【００３７】
＜笠木取付構造＞
笠木取付具Ａを使用した笠木取付構造について図７に基づいて説明する。
【００３８】
図７は、笠木取付具Ａが装着された基体９に笠木７が取付けられた笠木取付構造を示す。
【００３９】
笠木取付具Ａは、天板部１が基体９の頂面に固定されて装着されている。この固定は、天板部１に設けられた固定具挿通孔５，５，…を貫通して釘１３，１３，…を基体９頂面に打ち込むことによりなされている。
【００４０】
そして、笠木取付具Ａの上から笠木７が被せられており、脚部２，２下端の係合部３，３は、笠木７の側部７ｂ内側に設けられた下方内向きに傾斜したテーパ状の係合面８，８に係合当接し、その係合面８，８を下方外向きに押圧している。ここで、笠木７を取付ける際、脚部２，２は笠木７の開口部に押圧されて一旦基体９側に弾性的に変位し、脚部２，２が弾性復帰する際に、係合部３，３が係合面８，８に係合当接するものである。
【００４１】
また、笠木７の側部７ｂ，７ｂと基体９との間には隙間が形成されており、下方より脚部２，２の内側、従って、棒材係止部２０，２０が視認可能となっている。これによって、笠木７の取外し時にドライバー等の棒材がその隙間に差し入れられ、その先端部が棒材係止部２０の係止孔２０ａに嵌合して係止される。
【００４２】
さらに、天板部１に設けられた幅方向位置規制部１６，１６は、それぞれ笠木７の内側上部に設けられた幅方向を向く一対の対向する押圧面７ａ，７ａを外方に押圧している。
【００４３】
＜笠木の取外し方法＞
笠木取付具Ａを使用した笠木取付構造の笠木７の取外し方法について図８に基づいて説明する。
【００４４】
まず、図８（ａ）に示すように、笠木７の側部７ｂと基体９との間の隙間にマイナスドライバー２２を差し入れ、その先端部２２ａを脚部２の内側に突出して設けられた棒材係止部２０の係止孔２０ａに嵌合させて係止する。
【００４５】
次いで、図８（ｂ）に示すように、マイナスドライバー２２の図示しないハンドルを上方外方（図中の矢印）に移動させる。このとき、マイナスドライバー２２の先端部２２ａからややハンドル側の部分が笠木７の係合面８を形成する開口突部７ｃに当接してそこが支点となり、てこの原理により棒材係止部２０に係止されたマイナスドライバー２２の先端部２２ａと共に脚部２が内方に移動し、係合部３の係合面８への係合が解除される。
【００４６】
そして、図８（ｃ）に示すように、マイナスドライバー２２の図示しないハンドルをさらに上方外方に移動させる。このとき、マイナスドライバー２２に当接する開口突部７ｃが持ち上げられ、また、それと共に、幅方向位置規制部１６の当接部１６ｂの当接面７ａへの当接位置が下方に移動し、最終的には当接面７ａ下端が当接部１６ｂ乃至案内部１６ｃを摺動して押圧部１６ｂの押圧面７ａへの当接が解除され、笠木７の基体９からの取外しが完了する。
【００４７】
＜作用・効果＞
上記構成の笠木取付具Ａによれば、脚部２の下方からマイナスドライバー２２を差し入れられてその先端部２２ａを棒状係止部２０の係止孔２０ａに嵌合させて係止し、マイナスドライバー２２のハンドルに外向きに向かう外力を与えて上方外方に移動させると、笠木７の開口突部７ｃが支点となって、てこの原理によりマイナスドライバー２２の先端部２２ａが脚部２と共に内方に移動して係合部３の係合面８への係合が解除され、さらに、ハンドルを上方外方に移動させるとマイナスドライバー２２によって支点となった笠木７の開口突部７ｃが持ち上げられて笠木７が基体９から外れることとなるので、笠木７の取外し作業が片手でも簡単に行うことができ、しかも、棒材係止部２０が脚部２の内側に設けられており、基体９と脚部２との間にマイナスドライバー２２を差し入れればよく、従来のように棒材を狭い隙間に差し入れる必要がないので、笠木７の取外し作業の作業性が良好なものとなり、また、マイナスドライバー２２の先端部２２ａで笠木７を破損する虞もない。
【００４８】
また、棒材係止部２０は、マイナスドライバー２２の先端部２２ａが嵌合する係止孔２０ａが設けられた舌片で構成されているので、脚部２から長孔が設けられた舌片を切り出すだけでかかる棒材係止部２０が形成され、笠木取付具Ａの構成が簡易なものとなる。
【００４９】
さらに、天板部１は、笠木７の内側上部に設けられた幅方向を向く一対の対向する押圧面７ａ，７ａのそれぞれに当接してその押圧面７ａ，７ａを押圧する幅方向位置規制部１６，１６を備えているので、笠木７の取付け時には、幅方向位置規制部１６，１６が対応する押圧面７ａ，７ａを押圧して笠木７の幅方向の位置規制がなされ、笠木７の取付精度の向上が図られることとなる。加えて、笠木７を取付け後には、笠木７に外力が作用してもそれに対抗し、笠木取付構造の安定化が図られることとなる。
【００５０】
また、幅方向位置規制部１６は、その上端部が上方内側に湾曲した面に形成された案内部１６ｃを構成しているので、笠木７の取付け時には、笠木７の押圧面７ａが案内部１６ｃに導かれて幅方向位置規制部１６との当接が達成される一方、笠木７の取外し時には、笠木７の押圧面７ａが案内部１６ｃに導かれて幅方向位置規制部１６との当接が解除されることとなり、笠木７着脱時における幅方向位置規制部１６の機能発現又は機能解除がスムーズに行われることとなる。
【００５１】
そして、笠木７の側部７ｂ内側の係合面８が下方内向きに傾斜したテーパ状に形成されている一方、天板部１と脚部２とが成す角度及び脚部２の長さが、笠木７で基体９の頂部を覆うとき、脚部２が笠木７に押圧されて基体９側に弾性的に移動した後、脚部２が弾性復帰する際に、係合部３が笠木７の係合面８に係合当接して係合面８を下方外向きに押圧するように設定されているので、笠木取付具Ａの脚部２先端の係合部３が笠木７の側部７ｂ内側に設けられた係合面８に係合当接し、その係合面８を下方外向きに押圧することとなり、この下方に作用する力により笠木７の上下のがたつきが防止され、外向きに作用する力によってその幅方向のがたつきもが防止されることとなる。
【００５２】
また、脚部２が弾性変形可能に形成され且つ係合面８がテーパ状に形成されているので、脚部２の長さに設計に対する若干の寸法誤差が生じた場合でも、係合部３がテーパ状の係合面８のいずれかの位置に係合当接し、その寸法誤差が吸収されることとなる。
【００５３】
そして、天板部１は、釘１３，１３，…を用いて基体９に装着固定するための固定具挿通孔５，５，…を備えているので、例えば天板部をなす金属板上から釘等を打ち付けると笠木取付具の破損、変形等の原因となるが、そのような事態が回避される。
【００５４】
また、天板部１に、幅位置決め標６，６，６が設けられているので、基体９の頂面に記されたマーク１１にそれらを合わせることにより、笠木取付具Ａを基体９の幅方向における所定位置に装着することができ、複数の笠木取付具Ａを基体９に装着して笠木７を取付けたような場合、笠木７が長さ方向で左右に波打った形態となることはなく、笠木取付構造としての施工品質が高いものとなる。
【００５５】
（実施形態２）
図９は、本発明の実施形態２に係る笠木取付具Ｂの脚部２を示す。図１０は、実施形態２の笠木取付構造の要部断面を示す。なお、実施形態１と同一部分は同一の符号で示す。
【００５６】
笠木取付具Ｂは、脚部２先端の係合部３がのこぎり歯状に形成されている。また、笠木の係合面８は粗面に形成されている。その他の構成は、実施形態１にかかる笠木取付具Ａ及び笠木と同一である。
【００５７】
上記構成によれば、係合部３の係合面８への係合がより確実なものとなり、笠木７の笠木取付具Ｂへの取付状態が一層強固なものとなる。
【００５８】
笠木の取付、取外し方法、その他の笠木の取付構造の構成、及びその他の作用・効果は実施形態１と同一である。
【００５９】
（実施形態３）
図１１は、本発明の実施形態３に係る笠木取付具Ｃを示す。なお、実施形態１と同一部分は同一の符号で示す。
【００６０】
笠木取付具Ｃは、同一形状の第１取付部材ｃ１と第２取付部材ｃ２（以後「取付部材ｃ」と称する）とからなる。
【００６１】
この取付部材ｃは、金属製（バネ鋼ＳＵＰ３、ステンレス等）の厚さ０．３〜０．５ｍｍの平板をプレス加工により断面「く」の字形状に成形したものであり、長方形状の天板部１と、天板部１の一方の短辺側端１ａに続いて下方外向きに延びる脚部２と、脚部２の下端をなす係合部３とを備えている。
【００６２】
天板部１は、基体に装着固定されると共に笠木の底面を直接又は板状体を介して支える役割を果たす。
【００６３】
天板部１の脚部２との境界近傍には、天板部１から切り出された幅方向位置規制部１６が立設されており、これが笠木の内側に設けられた押圧面を幅方向に押圧する。この幅方向位置規制部１６は、天板部１から上方内側に緩やかに立ち上がる基端部１６ａと、基端部１６ａに続いて上方外側に突出した当接部１６ｂと、当接部１６ｂに続いて上方内側に緩やかに湾曲した案内部１６ｃとからなり、当接部１６ｂが笠木を取付けた状態でその内側の押圧面に当接押圧し、案内部１６ｃが笠木の着脱時に押圧面を案内する。
【００６４】
また、天板部１の位置規制部１６の両側には、それぞれ固定具挿通孔５，５が設けられており、これに釘、ボルト等が挿通されて基体の頂面に装着固定される。
【００６５】
さらに、脚部２側から見て天板部１の左側の長辺側端１ｂには、脚部２に近い方から順にＶ字状の切欠部１７ａ，１７ｂ，１７ｃが設けられ、また、脚部２から最も遠い側の切欠部１７ｃに隣接して、これらの切欠部１７ａ，１７ｂ，１７ｃに係合可能な側部突起１８が設けられており、一対の取付部材ｃ，ｃの側端同士を当接させて笠木取付具Ｃを構成する際に、切欠部１７ａ（１７ｂ，１７ｃ）に側部突起１８を係合させることにより、取付部材ｃ，ｃの相対的な位置ずれの防止が図られる。
【００６６】
また、脚部２から見て天板部１の右側の長辺側端１ｂには、左側長辺側端１ｂの切欠部１７ｂ，１７ｃに対向するように脚部２に近い方から順にＶ字状の切欠部１７ｄ，１７ｅがそれぞれ設けられていると共に、対向する切欠部１７ｂ，１７ｄ及び１７ｃ，１７ｅとの中間部には脚部２に近い方から順に菱形状の切欠部１７ｆ，１７ｇがそれぞれ設けられており、これらのうち直線状に配置される組合せにより、取付部材ａの基体９の幅方向の装着位置決めをするための幅位置決め標が構成される。
【００６７】
そして、天板部１の脚部２側と反対側の他方の短辺側端１ａ中間部にもＶ字状の他端切欠部１９が設けられており、一対の取付部材ｃ，ｃの他方の短辺側端１ａ同士突き合わせて笠木取付具Ｃを構成する際に、両方の他端切欠部１９，１９を対向させることにより、取付部材ｃ，ｃ相互の位置合わせが行われる。
【００６８】
各脚部２は、係合部３が笠木の側部内側の係合面に係合するように係合部３に弾性力を付与する役割を果たす。
【００６９】
各脚部２の中央部には、脚部２の下部側を基端としてコの字状に切り出された略矩形舌片状の棒材係止部２０が脚部２の内側に突出するように脚部２に対して直角に屈曲されて設けられていると共に、その棒状係止部２０の中央には、その長辺と平行に延びる係止孔２０ａが設けられ、笠木取外し時に脚部２の下方からドライバー等の笠木取外し作業用の棒材を差し入れた際にその先端部が係止孔２０ａに嵌合して棒材が係止される。
【００７０】
また、各脚部２の外側面の棒状係止部２０ａの下方には、棒状係止部２０と平行に延びるリブ２１が設けられており、これによって脚部２の補強が図られる。
【００７１】
各係合部３は、笠木の内側に設けられた係合面に係合して笠木の上方への移動を規制する役割を果たす。
【００７２】
そして、一対の取付部材ｃ，ｃにより笠木取付具Ｃを構成する際には、図１２（ａ）に示すように、天板部１の脚部２に対向する短辺側端１ａ同士を、両他端切欠部１９，１９によって菱形形状の欠損部が形成されるように突き合わせたり、また、図１２（ｂ）に示すように、各取付部材ｃの脚部２側から見て左側の長辺側端１ｂ同士を、脚部２から最も遠い側の切欠部１７ｃに側部突起１８を係合させるように当接させたり、又は脚部２に最も近い側の切欠部１７ａに側部突起１８を係合させるように当接させたり、若しくは真ん中の切欠部１７ｂに側部突起１８を係合させるように当接させて両取付部材ｃ，ｃを基体の頂面に配置し装着固定する。あるいは、このとき、天板部１の短辺側端１ａ同士又は長辺側端１ｂ同士を対峙させるように両取付部材ｃ，ｃを基体の頂面に配置し装着固定してもよい。
【００７３】
上記構成の笠木取付具Ｃによれば、一対の取付部材ｃ，ｃの両天板部１，１を、それぞれの脚部２に対向する短辺側端１ａ同士を対峙若しくは突き合わせるように又はそれぞれの脚部２側から見て同一側の長辺側端１ｂ同士を対峙若しくは当接させるように基体の頂面に固定することが可能であるので、基体の幅に応じて笠木取付具を準備する必要がなく、一対の取付部材からなる単一種の笠木取付具Ｃによって幅の異なる基体に対応して笠木を取付けることができる。
【００７４】
また、同様に、両脚部２，２間の間隔を自在に設定することが可能であるので、笠木の幅に応じて笠木取付具を準備する必要がなく、単一種の笠木取付具Ｃによって幅の異なる笠木に対応してそれを基体に取付けることができる。
【００７５】
脚部２と天板部１とが成す角度及び脚部２の長さの構成は実施形態１と同一である。また、笠木の取付、取外し方法及びその他の作用・効果も実施形態１と概ね同一である。
【００７６】
（その他の実施形態）
上記実施形態１〜３では、笠木取付具を金属板をプレス加工した一体物としたが、特にこれに限定されるものではなく、各部を溶接等により接合したものであってもよい。また、笠木取付具の材質としては、特に限定されるものではなく、弾性材料であれば金属のほか樹脂、繊維強化樹脂等であってもよく、金属と樹脂との複合体であってもよい。
【００７７】
また、上記実施形態１〜３では、脚部２は平坦な金属板で形成したが、特にこれに限定されるものではなく、長さ方向の断面が波形となるように表面に突条と凹溝とが交互に設けられているものであってもよい。この場合、脚部の強度が高められ、耐久性に優れるものとなる。
【００７８】
また、上記実施形態１〜３では、直線状に延びた基体９の頂面に装着する笠木取付具を扱ったが、特にこれに限定されるものではなく、コーナーを形成する基体の頂面に合わせて「Ｌ」字状の天板部を有し、その「Ｌ」字に適合するように形成された笠木を取付けるための笠木取付具であってもよい。
【００７９】
また、上記実施形態１〜３では、棒材係止部２０を両方の脚部２，２に設けたが、一方にのみ設けたものであってもよい。
【００８０】
また、上記実施形態１では、マイナスドライバー２２の先端部２２ａを棒材係止部２０で係止し、マイナスドライバー２２のハンドルを上方外向きに移動させることにより係合部３の係合面８への係合を外すと共に笠木７の取外しを行うようにしたが、特にこれに限定されるものではなく、ドライバー等の棒材の先端部を棒材係止部で係止した後、脚部が内方に移動するように棒材全体を一旦内方に移動させて係合部の係合面への係合を解除し、次いで、係止された棒材の先端部を支点として棒材の他端を上方外向きに移動させて棒材で笠木を持ち上げるようにしてもよく、また、棒材の先端部を棒材係止部で係止した後、脚部が内方に移動するように棒材全体を一旦内方に移動させて係合部の係合面への係合を解除し、笠木を手で外すようにしてもよい。
【図面の簡単な説明】
【図１】  実施形態１に係る笠木取付具Ａの斜視図である。
【図２】  実施形態１に係る笠木取付具Ａの上面図 である。
【図３】  実施形態１に係る笠木取付具Ａの正面図である。
【図４】  実施形態１に係る笠木取付具Ａの側面図である。
【図５】  実施形態１に係る笠木取付具Ａの脚部の寸法設定に関する説明図である。
【図６】  実施形態１の笠木の取付け方法に関する説明図である。
【図７】  実施形態１の笠木取付構造の断面図である。
【図８】  実施形態１の笠木の取外し方法に関する説明図である。
【図９】  実施形態２に係る笠木取付具Ｂにおける脚部の斜視図である。
【図１０】  実施形態２の笠木取付構造の要部断面図である。
【図１１】  実施形態３に係る笠木取付具Ｃの斜視図である。
【図１２】  実施形態３に係る笠木取付具Ｃの基体への装着態様を示す説明図である。
【図１３】  従来例に係る笠木取付構造の断面図である。
【符号の説明】
Ａ，ａ，Ｂ，Ｃ  笠木取付具
ｃ，ｃ１，ｃ２  取付部材
１，３１  天板部
１ａ  短辺側端
１ｂ  長辺側端
２，３２  脚部
３，３３  係合部
５  固定具挿通孔
７，３７  笠木
７ａ  押圧面
７ｂ，３７ｂ  側部
７ｃ  開口突部
８，３８  係合面
９，３９  基体
１１  マーク
１２  高さ調整シート
１３  （ねじ）釘
１６  幅方向位置規制部
１６ａ  基端部
１６ｂ  当接部
１６ｃ  案内部
１７ａ〜ｇ  切欠部
１８  側方突起
１９  他端切欠部
２０  棒材係止部
２０ａ  係止孔
２１  リブ
２２  マイナスドライバー
２２ａ  先端部
【図１】
0004551556.tif 000002
【図２】
0004551556.tif 000003
【図３】
0004551556.tif 000004
【図４】
0004551556.tif 000005
【図５】
0004551556.tif 000006
【図６】
0004551556.tif 000007
【図７】
0004551556.tif 000008
【図８】
0004551556.tif 000009
【図９】
0004551556.tif 000010
【図１０】
0004551556.tif 000011
【図１１】
0004551556.tif 000012
【図１２】
0004551556.tif 000013
【図１３】
0004551556.tif 000014